(57)【要約】【課題】動翼と軸受との摺動部に過剰な力が作用するのを抑制して信頼性の高い水栓用発電機を提供する。【解決手段】給水流路に対して略平行に設けられた軸部材と、軸部材のまわりに回転可能に給水流路に設けられた動翼と、動翼を軸部材の軸方向に支持する軸受と、動翼のまわりを囲んで設けられ動翼と一体に回転可能なマグネットと、給水流路の外側に設けられたコイルと、周方向に互いに離間して設けられ、マグネットの軸方向端面に形成された着磁面に対向する複数のインダクタを有し、コイルと鎖交する磁束を形成するためのヨークとを備え、インダクタとマグネットとの間に作用する磁気吸引力によってマグネットがインダクタ側に付勢される力の方向と、給水流路を流れる流水から動翼が受ける付勢力の方向とが逆方向である。【選択図】図１
2008271679.tif 000002
【特許請求の範囲】
【請求項１】
給水流路に対して略平行に設けられた軸部材と、
前記軸部材のまわりに回転可能に前記給水流路に設けられた動翼と、
前記動翼を前記軸部材の軸方向に支持する軸受と、
前記動翼のまわりを囲んで設けられ、前記動翼と一体に回転可能なマグネットと、
前記給水流路の外側に設けられたコイルと、
周方向に互いに離間して設けられ、前記マグネットの軸方向端面に形成された着磁面に対向する複数のインダクタを有し、前記コイルと鎖交する磁束を形成するためのヨークと、を備え、
前記インダクタと前記マグネットとの間に作用する磁気吸引力によって前記マグネットが前記インダクタ側に付勢される力の方向と、前記給水流路を流れる流水から前記動翼が受ける付勢力の方向とが逆方向であることを特徴とする水栓用発電機。
【請求項２】
前記動翼は、前記軸受に対して固定された前記軸部材のまわりに回転することを特徴とする請求項１記載の水栓用発電機。
【請求項３】
前記動翼の回転中心に、前記動翼と一体となって前記軸受に対して回転する前記軸部材が固定されたことを特徴とする請求項１記載の水栓用発電機。
【発明の詳細な説明】
【技術分野】
【０００１】
本発明は、水栓に供される流水の流れを利用して発電する水栓用発電機に関する。
【背景技術】
【０００２】
従来、蛇口の下に差し出された手をセンサで感知し、蛇口から水を自動的に吐水させる自動水栓装置が知られている。また、そのような自動水栓装置の流路に小型発電機を備え、この発電機で得られた電力を蓄電しておき、上述のセンサ等の回路の電力を補う装置も知られている。
【０００３】
例えば、特許文献１には、水流の力を受けて回転される回転体の回転軸が、水流が流れる方向に対して略平行ないわゆる軸流式の発電機が開示されている。特許文献１では、流体が流通する流路に羽根部を有する水車を設け、その水車の羽根部の外周側に略円筒状のマグネットが固定されている。そのマグネットの下流側に、コイル及びコイルにマグネットの磁束を導くためのインダクタ（ヨーク）が設けられている。
【０００４】
軸流式の水力発電機では、水流圧力により、回転体（水車）は下流方向に付勢力を受ける。また、回転体には、マグネットとインダクタとの間に作用する磁気吸引力によって、固定部材であるインダクタ側に引き寄せられる力が作用する。そのため、特許文献１のようにインダクタをマグネットに対して下流側に配置していると、水流圧力による付勢力と、前記磁気吸引力によってインダクタ側に引き寄せられる力とが同じ方向（下流方向）に作用し、特にマグネットの磁力が強い場合には、回転体が軸受に対して強く押し付けられ、回転体の回転性の低下や、回転体と軸受との摺動部における摩耗が助長され耐久性が低下することが懸念される。
【特許文献１】特開２００４−３３６９８２号公報
【発明の開示】
【発明が解決しようとする課題】
【０００５】
本発明は、動翼と軸受との摺動部に過剰な力が作用するのを抑制して信頼性の高い水栓用発電機を提供する。
【課題を解決するための手段】
【０００６】
本発明の一態様によれば、給水流路に対して略平行に設けられた軸部材と、前記軸部材のまわりに回転可能に前記給水流路に設けられた動翼と、前記動翼を前記軸部材の軸方向に支持する軸受と、前記動翼のまわりを囲んで設けられ、前記動翼と一体に回転可能なマグネットと、前記給水流路の外側に設けられたコイルと、周方向に互いに離間して設けられ、前記マグネットの軸方向端面に形成された着磁面に対向する複数のインダクタを有し、前記コイルと鎖交する磁束を形成するためのヨークと、を備え、前記インダクタと前記マグネットとの間に作用する磁気吸引力によって前記マグネットが前記インダクタ側に付勢される力の方向と、前記給水流路を流れる流水から前記動翼が受ける付勢力の方向とが逆方向であることを特徴とする水栓用発電機が提供される。
【発明の効果】
【０００７】
本発明によれば、動翼と軸受との摺動部に過剰な力が作用するのを抑制して信頼性の高い水栓用発電機が提供される。
【発明を実施するための最良の形態】
【０００８】
以下、図面を参照し、本発明の実施形態について説明する。なお、各図面中、同一の構成要素には同一の符号を付す。
【０００９】
図１は、本発明の実施形態に係る水栓用発電機１の模式断面図である。  
この水栓用発電機１は、主として、筒体１５、静翼２１、動翼２５、マグネットＭ、ステータ５０等を備え、これらは、ケース１２（図３を参照）の中に収容されている。
【００１０】
ここで、水栓用発電機１の説明をする前に、この水栓用発電機１を備えた水栓装置３の説明をする。  
図２は、その水栓装置３の取付例を表す模式図である。  
図３は、同水栓装置３の模式断面図である。
【００１１】
水栓装置３は、例えば、洗面台２などに取り付けられる。水栓装置３は、配管４を介して、水道水等の流入路５に接続されている。水栓装置３は、円筒状の本体３ａと、この本体３ａの上部に設けられ、本体３ａの径外方向に延出する吐水部３ｂとを有する。吐水部３ｂの先端には、吐水口６が形成され、さらにこの吐水口６の近傍にはセンサ７が内蔵されている。
【００１２】
水栓装置３の内部には、流入路５から流入し、配管４内を流れてきた給水を、吐水口６へと導く給水流路１０が形成されている。本体３ａの内部には、その給水流路１０を開閉するための電磁弁８が内蔵され、さらに電磁弁８の下流側には、吐水量を一定に制限するための定流量弁５５が内蔵されている。また、水道等の元圧が使用圧よりも高すぎる場合に減圧するための減圧弁または調圧弁（図示省略）が、電磁弁８より上流側に内蔵されている。なお、定流量弁５５、減圧弁、調圧弁は、必要に応じて適宜設けるようにすればよい。
【００１３】
定流量弁５５より下流の吐水部３ｂの内部には、水栓用発電機１が備えられている。本体３ａの内部には、水栓用発電機１で発電された電力を充電しておく充電器５６、センサ７の駆動や電磁弁８の開閉などを制御する制御部５７が設けられている。水栓用発電機１は、電磁弁８及び定流量弁５５よりも下流側に配設されているため、水道の元圧（一次圧）が、水栓用発電機１に直接作用することはない。そのため、水栓用発電機１は、それほど高い耐圧性を要求されず、このような配置は、信頼性やコストの点で有利である。
【００１４】
水栓用発電機１に具備されたコイル３６（図１参照）と制御部５７とは、図示しない配線を介して接続され、コイル３６の出力が制御部５７を介して充電器５６に送られるようになっている。
【００１５】
なお、水栓用発電機１は、水栓装置３の水栓金具（本体３ａ及び吐水部３ｂ）の内部に設けられることに限らない。例えば、水栓装置３の水栓金具と、これよりも上流側に設けられた止水栓（元栓）１０５（図２参照）との間を接続する配管（流路）４に設けてもよい。
【００１６】
水栓用発電機１は、止水栓（元栓）１０５と水栓装置３の吐水口６との間の流路に設けられ、止水栓１０５から水栓装置３の吐水口６へと向けて流れる流水の水力によって発電される。水栓装置としては、例えば、キッチン用水栓、リビングダイニング用水栓、シャワー用水栓、トイレ用水栓、洗面所用水栓などが挙げられる。また、水栓装置において、吐出流量は、例えば、毎分１００リットル以下、望ましくは毎分３０リットル以下に設定される。特に、洗面所用水栓においては、毎分５リットル以下に設定されていることが望ましい。また、トイレ用水栓のような吐出流量が比較的多い場合には、給水管から、発電機１に流れる水流を分岐させて、発電機１を流れる流量を毎分３０リットル以下に調整することが望ましい。これは、給水管からのすべての水流を発電機１１に流すと、動翼２５の回転数が大きくなり、騒音や軸摩耗が増大する可能性が懸念され、また、回転数が増大しても適正回転数以下でなければ、渦電流やコイル熱によるエネルギー損失が生じるため、発電量は増大しないからである。また、水栓金具が取り付けられる水道管の給水圧としては、例えば、日本においては０．０５（ＭＰａ）程度の低水圧である場合もあり得る。
【００１７】
また、水栓装置は、人体検知センサを用いた自動水栓に限らず、手動スイッチのオン／オフによるワンタッチ水栓、流量をカウントして止水する定量吐水水栓、設定時間を経過すると止水するタイマー水栓などであってもよい。
【００１８】
また、水栓用発電機１で発電された電力を、例えば、ライトアップ、アルカリイオン水や銀イオン含有水などの電解機能水の生成、流量表示（計量）、温度表示、音声ガイドなどに用いてもよい。
【００１９】
次に、図１に戻って、水栓用発電機１について説明する。
【００２０】
筒体１５は、小径部１８、大径部１６およびフランジ部１７からなる段付き形状を呈し、その内部が給水流路に連通した状態で、図２、３に示される吐水部３ｂ内に配設される。筒体１５は、その中心軸方向が、吐水部３ｂ内の給水流路１０を流水が流れる方向に対して略平行となるように配設される。また、筒体１５は、小径部１８を上流側に、大径部１６を下流側に向けて配設される。
【００２１】
筒体１５の内部には、上流側から順に、静翼２１、動翼２５、軸受３４が設けられている。大径部１６の下流端の開口には、Ｏリング３３を介して、封止部材３２が液密に嵌合している。
【００２２】
静翼２１は、円柱体の一方の端面（上流側に位置する面）に、円錐体を一体的に設けた形状をしている。静翼２１の周面には、径外方向に突出した複数の突起状の静翼羽根部２２が設けられている。静翼羽根部２２は、例えば、静翼２１の軸中心に対して右方向にねじれつつ、上流側から下流側に向けて傾斜している。静翼２１は、筒体１５の小径部１８の内周部に対して固定され、回転はしない。
【００２３】
静翼２１の下流側には動翼２５が設けられている。動翼２５の上流側部分は円柱状に形成され、その周面には径外方向に突出した複数の動翼羽根部２６が設けられている。動翼羽根部２６は、静翼羽根部２２とは逆に、軸中心に対して左方向にねじれつつ、上流側から下流側に向けて傾斜している。
【００２４】
動翼２５の外周側には、動翼羽根部２６の周囲を囲むように動翼リング２８が設けられている。動翼リング２８の下流側端部には、径外方に張り出したフランジ部２８ａが一体に設けられ、そのフランジ部２８ａの上流側に、マグネットＭが動翼リング２８に固定されて設けられている。動翼２５、動翼リング２８およびマグネットＭは一体となって、給水流路に対して略平行な軸まわりに回転する。
【００２５】
マグネットＭは、図４に表すように、筒状を呈し、その端面には周方向に沿って交互にＮ極とＳ極とが着磁されている。
【００２６】
動翼２５の下流側には、動翼２５を軸方向に支持する軸受３４が設けられている。軸受３４の中心には軸部材３５が固定されている。軸部材３５は、軸受３４の中心から上流側に向けて延在し、筒体１５の中心軸に対して略平行、すなわち流路に対して略平行に設けられている。軸受３４は、封止部材３２の内周面に対して固定されたスリーブ４４と、軸中心からスリーブ４４の内周面に向けて放射状に設けられた複数の連結部材４３とを有し、連結部材４３の中心に軸部材３５が固定されている。複数の連結部材４３は周方向に互いに離間して設けられ、連結部材４３どうしの間は閉塞されず、流水の流れを許容する隙間が形成されている。
【００２７】
軸部材３５は動翼２５の軸中心を貫通しており、動翼２５の下流端は軸受３４上に回転（摺動）可能に支持され、動翼２５は軸部材３５によって径方向の移動を規制されつつ、軸部材３５のまわりを回転可能となっている。
【００２８】
筒体１５の小径部１８の外側には、マグネットＭの上流側の軸方向端面（Ｎ極とＳ極とが着磁された着磁面）に対向させるようにしてステータ５０が設けられている。  
図５は、そのステータ５０の斜視図を表す。
【００２９】
ステータ５０は、円筒状のヨーク４０と、このヨーク４０で囲まれた空間内に収容され、円筒状に巻回されたコイル３６とを有する。ヨーク４０は、共に磁性体からなる３つの第１〜第３のヨーク４１〜４３を組み合わせてなる。
【００３０】
第１のヨーク４１は、コイル３６の内側に設けられコイル３６の内周側部分に対向する内周部と、その内周部における軸方向の一端部から内周部に対して略直角に径外方に突出して設けられた複数のインダクタ５１とを有する。複数のインダクタ５１は、周方向に互いに離間して等間隔に設けられ、コイル３６の軸方向端面に対向している。
【００３１】
第２のヨーク４２は、コイル３６の外側に設けられコイル３６の外周側部分に対向する外周部と、その外周部における軸方向の一端部から外周部に対して略直角に径内方に突出して設けられた複数のインダクタ５２とを有する。複数のインダクタ５２は、周方向に互いに離間して等間隔に設けられ、コイル３６の軸方向端面に対向している。
【００３２】
第１のヨーク４１のインダクタ５１と第２のヨーク４２のインダクタ５２は、周方向に沿って、交互に、且つ互いに離間して並んでいる。これらインダクタ５１、５２は、コイル３６の一方の軸方向端面に対向している。そのコイル３６の一方の軸方向端面は、図１に表すように、インダクタ５１、５２及び筒体１５のフランジ部１７を間に挟んで、マグネットＭの上流側の軸方向端面（着磁面）に対向している。すなわち、インダクタ５１、５２が、マグネットＭの上流側の軸方向端面（着磁面）に対向している。
【００３３】
第３のヨーク４３は、コイル３６の他方の軸方向端面（インダクタ５１、５２が対向する軸方向端面とは反対側の軸方向端面）に対向して設けられたリングプレート状を呈し、第１のヨーク４１及び第２のヨーク４２のそれぞれの軸方向の他端部（インダクタ５１、５２が設けられた側の軸方向端部の反対側の軸方向端部）に結合されている。
【００３４】
次に、水栓用発電機１及び水栓装置３の作用について説明をする。
【００３５】
使用者が、水栓装置３の吐水口６の下に手をかざすと、これをセンサ７が感知して、制御部５７が電磁弁８を開にし、給水流路１０が連通される。これにより、水栓用発電機１の筒体２０の内部に流水が供給され、筒体２０の内部を流れた水は吐水口６から吐水される。使用者が、吐水口６の下から手を遠ざけると、電磁弁８が閉となり、自動的に水が止まる。
【００３６】
筒体２０内に流れ込んだ流水は、静翼２１の円錐体表面を流れて径外方向に拡散され、図１に例示される構造では、軸中心に対して右方向に旋回するような旋回流となって、静翼羽根部２２間の静翼流路２３を流れる。
【００３７】
静翼流路２３を流れた旋回流は、動翼羽根部２６間の動翼流路２７に流入し、動翼羽根部２６の上側の傾斜面に衝突する。本具体例では、動翼流路２７に流入する旋回流は、軸中心に対して右方向に旋回した流れなので、動翼羽根部２６に対して右方向の力が作用し、動翼２５は右回りに回転する。そして、動翼流路２７を流れた流水は、筒体２０の小径部２０ｂを軸方向に流れて筒体２０内部を抜け、吐水口６へと至る。
【００３８】
前述した流水からの力を受けて動翼２５が回転すると、これに固定されたマグネットＭも回転する。マグネットＭが回転すると、Ｎ極とＳ極とが周方向に沿って交互に着磁されているマグネットＭの上流側の軸方向端面に対向しているインダクタ５１、５２及びこれらに一体となっているヨーク４１、４２の極性が変化してゆく。これにより、コイル３６に対する鎖交磁束の向きが変化し、コイル３６に起電力が生じ、発電がされる。発電により生じた電力は、充電器５６へと送られ、充電された後、例えば、電磁弁８、センサ７、制御部５７の駆動などに使用される。
【００３９】
また、本実施形態では、動翼羽根部２６の周囲を囲むように設けた動翼リング２８が、動翼流路２７と筒体１５内壁面とを隔てる隔壁として機能し、動翼流路２７から遠心方向（径外方）へと流れ出る流水がなくなるため、より多くの流水が動翼リング２８の内側の動翼流路２７を流れる。動翼羽根部２６に沿って流れる流量が多くなることで、動翼２５の回転力がより高まり、発電能力を高めることができる。
【００４０】
なお、動翼リング２８を設けずに、マグネットＭを動翼羽根部２６の周囲を囲むように設けることで、そのマグネットＭの内周面によって、動翼流路２７を流れる流水の径外方向への流出を阻止するようにしてもよい。
【００４１】
また、本実施の形態では、コイル３６を、マグネットＭの軸方向端面に対向配置させる構造のため、コイル３６をマグネットＭの径外方向に対向配置させる場合に比べて、径方向寸法を小さくすることができる。また、動翼２５の径外方にコイル３６を配置しない分、動翼２５の径方向寸法の拡大が図れ、発電量の増大が図れる。
【００４２】
動翼２５に作用する力としては、上流側から流れてくる流水の圧力によって下流側に付勢される力と、マグネットＭとインダクタ５１、５２との間に作用する磁気吸引力によって、固定部材であるインダクタ５１、５２側に引き寄せられる力がある。ここで、水流圧力による付勢力と、前記磁気吸引力によってインダクタ５１、５２側に引き寄せられる力とが同じ方向に作用すると、特にマグネットの磁力が強い場合には、動翼２５が軸受３４に対して強く押し付けられ、動翼２５の回転性の低下や、動翼２５と軸受３４との摺動部における摩耗が助長され耐久性が低下することが懸念される。
【００４３】
しかし、本実施形態では、インダクタ５１、５２を、マグネットＭの上流側の軸方向端面に対向させているため、マグネットＭとインダクタ５１、５２との間に作用する磁気吸引力によって、動翼２５は上流側に吸引される力を受ける。この力は、上流側から流れてくる流水の圧力によって下流側に付勢される力の向きとは逆方向であり、よって、動翼２５に対して下流側への付勢力が過剰に作用することを防げる。この結果、動翼２５の回転性の低下や、動翼２５と軸受３４との摺動部における耐久性の低下を防いで、信頼性の高い製品を提供できる。
【００４４】
本実施形態に係る水栓用発電機において、図６に表すように、動翼２５は、軸部材２９と一体となって軸受３４に対して回転する構成としてもよい。
【００４５】
軸部材２９は、動翼２５の回転中心を貫通して動翼２５に対して固定されている。軸部材２９の上流側端部は動翼２５から上流側に突出し、静翼２１に対して回転（摺動）自在に係合している。軸部材２９の下流側端部は、動翼２５よりも下流側に突出し、軸受３４に対して回転（摺動）自在に係合している。動翼２５はその下端部を軸受３４に対して回転（摺動）自在に支持されつつ、軸部材２９と一体となって回転する。
【００４６】
この構成においても、インダクタ５１、５２を、マグネットＭの上流側の軸方向端面に対向させているため、マグネットＭとインダクタ５１、５２との間に作用する磁気吸引力によって、動翼２５に対して下流側への付勢力が過剰に作用することを防げる。この結果、動翼２５の回転性の低下や、動翼２５と軸受３４との摺動部における耐久性の低下を防いで、信頼性の高い製品を提供できる。
【００４７】
図７は、本発明の他の実施形態に係る水栓用発電機の模式断面図である。  
図８は、同水栓用発電機におけるステータの模式斜視図である。
【００４８】
コイル３６は、必ずしもマグネットＭに対して上流側に設ける必要はなく、本実施形態では、コイル３６を、マグネットＭの径外方に設けている。
【００４９】
筒体１００は、小径部１０１、大径部１０２およびフランジ部１０３からなる段付き形状を呈し、その中心軸方向が給水流路を流水が流れる方向に対して略平行となるように配設される。筒体１００は、大径部１０１を上流側に、小径部１０２を下流側に向けて配設される。
【００５０】
大径部１０２の下流端の開口には、封止部材１０５が液密に嵌合している。小径部１０１の内部には静翼２１が固定され、大径部１０２の内部には動翼２５が回転可能に設けられ、封止部材１０５の内部にはその内周面に対して固定されて軸受３４が設けられている。
【００５１】
軸受３４の中心に固定された軸部材３５は、動翼２５の軸中心を貫通しており、動翼２５の下流端は軸受３４上に回転（摺動）可能に支持され、動翼２５は軸部材３５によって径方向の移動を規制されつつ、軸部材３５のまわりを回転可能となっている。
【００５２】
筒体１００の外側には、ステータ６０が設けられている。  
図８は、そのステータ６０の斜視図を表す。
【００５３】
ステータ６０は、共に磁性体からなる第１〜第３のヨーク６１〜６３と、これらヨーク６１〜６３で囲まれた空間内に収容され、円筒状に巻回されたコイル３６とを有する。
【００５４】
第１のヨーク６１は、コイル３６の内側に設けられコイル３６の内周側部分に対向する内周部７２と、その内周部７２における軸方向の一端部から内周部７２に対して略直角に径内方に突出して設けられた複数のインダクタ７１とを有する。複数のインダクタ７１は、周方向に互いに離間して等間隔に設けられ、マグネットＭの上流側の軸方向端面（着磁面）に対向している。
【００５５】
第２のヨーク６２は、コイル３６の外側に設けられコイル３６の外周側部分に対向する外周部８２と、その外周部８２における軸方向の一端部から外周部に対して略直角に径内方に突出して設けられた複数のインダクタ８１とを有する。複数のインダクタ８１は、周方向に互いに離間して等間隔に設けられ、コイル３６の上流側の軸方向端面およびマグネットＭの上流側の軸方向端面（着磁面）に対向している。
【００５６】
第１のヨーク６１のインダクタ７１と第２のヨーク６２のインダクタ８１は、周方向に沿って、交互に、且つ互いに離間して並んでいる。コイル３６は、マグネットＭの径外方の筒体１００の大径部１０２の外周側に設けられているいるが、インダクタ７１、８１は、筒体１００のフランジ部１０３を間に挟んで、マグネットＭの上流側の軸方向端面（着磁面）に対向している。
【００５７】
第３のヨーク６３（図７参照）は、コイル３６の下流側の軸方向端面に対向して設けられたリングプレート状を呈し、第１のヨーク６１及び第２のヨーク６２のそれぞれの下流側の軸方向端部に結合されている。
【００５８】
本実施形態においても、インダクタ７１、８１を、マグネットＭの上流側の軸方向端面に対向させているため、マグネットＭとインダクタ７１、８１との間に作用する磁気吸引力によって、動翼２５は上流側に吸引される力を受ける。この力は、上流側から流れてくる流水の圧力によって下流側に付勢される力の向きとは逆方向であり、よって、動翼２５に対して下流側への付勢力が過剰に作用することを防げる。この結果、動翼２５の回転性の低下や、動翼２５と軸受３４との摺動部における耐久性の低下を防いで、信頼性の高い製品を提供できる。
【００５９】
本実施形態に係る水栓用発電機において、図９に表すように、動翼２５は、軸部材１０６と一体となって軸受３４に対して回転する構成としてもよい。
【００６０】
軸部材１０６は、動翼２５の回転中心を貫通して動翼２５に対して固定されている。軸部材１０６の上流側端部は動翼２５から上流側に突出し、静翼２１に対して回転（摺動）自在に係合している。軸部材１０６の下流側端部は、動翼２５よりも下流側に突出し、軸受３４に対して回転（摺動）自在に係合している。動翼２５はその下端部を軸受３４に対して回転（摺動）自在に支持されつつ、軸部材１０６と一体となって回転する。
【００６１】
この構成においても、インダクタ７１、８１を、マグネットＭの上流側の軸方向端面に対向させているため、マグネットＭとインダクタ７１、８１との間に作用する磁気吸引力によって、動翼２５に対して下流側への付勢力が過剰に作用することを防げる。この結果、動翼２５の回転性の低下や、動翼２５と軸受３４との摺動部における耐久性の低下を防いで、信頼性の高い製品を提供できる。
【図面の簡単な説明】
【００６２】
【図１】本発明の実施形態に係る水栓用発電機の模式断面図。
【図２】本発明の実施形態に係る水栓装置の取付例を表す模式図。
【図３】同水栓装置内部の構成を表す模式図。
【図４】本発明の実施形態に係る水栓用発電機におけるマグネットの模式斜視図。
【図５】同水栓用発電機におけるステータの模式斜視図。
【図６】同水栓用発電機において、動翼が軸部材に固定されそれら両者が一体に回転する構造を表す模式図。
【図７】本発明の他の実施形態に係る水栓用発電機の模式断面図。
【図８】同水栓用発電機におけるステータの模式斜視図。
【図９】同水栓用発電機において、動翼が軸部材に固定されそれら両者が一体に回転する構造を表す模式図。
【符号の説明】
【００６３】
１…水栓用発電機、３…水栓装置、７…センサ、８…電磁弁、２１…静翼、２２…静翼羽根部、２３…静翼流路、２５…動翼、２６…動翼羽根部、２７…動翼流路、２８…動翼リング、３６…コイル、５０…ステータ、５１，５２…インダクタ、６０…ステータ、７１，８１…インダクタ
【図１】
2008271679.tif 000003
【図２】
2008271679.tif 000004
【図３】
2008271679.tif 000005
【図４】
2008271679.tif 000006
【図５】
2008271679.tif 000007
【図６】
2008271679.tif 000008
【図７】
2008271679.tif 000009
【図８】
2008271679.tif 000010
【図９】
2008271679.tif 000011